(57)【特許請求の範囲】
【請求項１】
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答データ処理システムであって、
前記アンケート回答端末は、
前記アンケート回答を特定するための回答識別情報（回答ＩＤと称す）を前記アンケート集計端末の公開鍵により暗号化する手段と、
アンケート回答者を特定するための回答者識別情報（回答者ＩＤと称す）を前記アンケート督促端末の公開鍵により暗号化する手段と、
アンケート回答と共にこれら暗号化された回答ＩＤと回答者ＩＤとを前記データベース手段へ送信する手段とを含み、
前記アンケート督促端末は、
前記データベース手段から得た未回答者の前記回答者ＩＤをアンケート督促端末自身の秘密鍵により復号して、この復号した回答者ＩＤに基づいて未回答者を判断してこの未回答者のアンケート端末に対してアンケート回答の督促をなす手段を含むことを特徴とするアンケート回答データ処理システム。
【請求項２】
前記アンケート集計端末は、
前記データベース手段から得た前記回答ＩＤをアンケート集計端末自身の秘密鍵により復号して、この復号した回答ＩＤに対応する前記アンケート回答を前記データベース手段から得て集計する手段を含むことを特徴とする請求項１記載のアンケート回答データ処理システム。
【請求項３】
アンケート回答収集部を有するアンケート回答サーバを更に含み、このアンケート回答サーバに、個人情報を検出するための文字列を予め格納した個人情報格納テーブルを設け、前記アンケート回答端末からのアンケート回答中において前記テーブルの文字列に一致する情報が検出された場合に、この個人情報を削除または特定文字列や特定記号により置換した後、前記データベース手段へ格納することを特徴とする請求項１または２記載のアンケート回答データ処理システム。
【請求項４】
前記個人情報の削除や置換が発生した場合に、その旨を前記アンケート回答端末へ通知することを特徴とする請求項３記載のアンケート回答データ処理システム。
【請求項５】
前記個人情報の削除や置換が発生した場合に、再回答が必要な旨を前記アンケート回答端末へ通知することを特徴とする請求項４記載のアンケート回答データ処理システム。
【請求項６】
前記再回答が必要な旨を前記アンケート回答端末へ通知したことを前記アンケート督促端末へ通知することを特徴とする請求項５記載のアンケート回答データ処理システム。
【請求項７】
前記アンケート集計端末は、修正が必要なアンケート回答に対する修正依頼を生成し、前記アンケート督促端末は、この修正依頼を前記修正が必要なアンケート回答の回答ＩＤに対応する回答者ＩＤのアンケート回答端末へ送信することを特徴とする請求項１〜６いずれか記載のアンケート回答データ処理システム。
【請求項８】
前記アンケート集計端末は、前記修正依頼において予め修正箇所を指定してなることを特徴とする請求項７記載のアンケート回答データ処理システム。
【請求項９】
前記アンケート集計端末は、前記修正依頼内容を生成して、前記データベース手段へ登録する手段を有し、
前記データベース手段は、前記修正が必要なアンケート回答の回答ＩＤに対する回答修正キーを生成して前記修正コメントと共に登録する手段を有し、
前記アンケート督促端末は、前記データベース手段から前記回答ＩＤに対応する回答者ＩＤと前記回答修正キーとを受けて、前記回答者ＩＤに対応するアンケート回答端末へ回答修正依頼を送信する手段を有し、
前記アンケート回答端末は、前記回答修正依頼を受けて、自身の回答ＩＤと前記回答修正キーとを前記データベース手段へ送信し、これに応答して前記データベース手段から返送された前記修正依頼内容を回答者へ表示する手段と、前記回答者により修正された修正内容を前記データベース手段へ送信する手段とを有することを特徴とする請求項８記載のアンケート回答データ処理システム。
【請求項１０】
請求項１〜９いずれか記載のアンケート回答データ処理システムを用いたことを特徴とするアンケートシステム。
【請求項１１】
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答データ処理方法であって、
前記アンケート回答端末において、
前記アンケート回答を特定するための回答識別情報（回答ＩＤと称す）を前記アンケート集計端末の公開鍵により暗号化するステップと、
アンケート回答者を特定するための回答者識別情報（回答者ＩＤと称す）を前記アンケート督促端末の公開鍵により暗号化するステップと、
アンケート回答と共にこれら暗号化された回答ＩＤと回答者ＩＤとを前記データベース手段へ送信するステップとを含み、
前記アンケート督促端末において、
前記データベース手段から得た未回答者の前記回答者ＩＤをアンケート督促端末自身の秘密鍵により復号するステップと、
この復号した回答者ＩＤに基づいて未回答者を判断してこの未回答者のアンケート端末に対してアンケート回答の督促をなすステップとを含むことを特徴とするアンケート回答データ処理方法。
【請求項１２】
前記アンケート集計端末において、
前記データベース手段から得た前記回答ＩＤをアンケート集計端末自身の秘密鍵により復号するステップと、
この復号した回答ＩＤに対応する前記アンケート回答を前記データベース手段から得て集計するステップとを含むことを特徴とする請求項１１記載のアンケート回答データ処理方法。
【請求項１３】
アンケート回答収集部を有するアンケート回答サーバを更に含み、このアンケート回答サーバに、個人情報を検出するための文字列を予め格納した個人情報格納テーブルを設けておき、
前記アンケート回答端末からのアンケート回答中において前記テーブルの文字列に一致する情報が検出された場合に、この個人情報を削除または特定文字列や特定記号により置換した後、前記データベース手段へ格納するステップを、更に含むことを特徴とする請求項１１または１２記載のアンケート回答データ処理方法。
【請求項１４】
前記個人情報の削除や置換が発生した場合に、その旨を前記アンケート回答端末へ通知するステップを、更に含むことを特徴とする請求項１３記載のアンケート回答データ処理方法。
【請求項１５】
前記個人情報の削除や置換が発生した場合に、再回答が必要な旨を前記アンケート回答端末へ通知するステップを、更に含むことを特徴とする請求項１４記載のアンケート回答データ処理方法。
【請求項１６】
前記再回答が必要な旨を前記アンケート回答端末へ通知したことを前記アンケート督促端末へ通知するステップを、更に含むことを特徴とする請求項１５記載のアンケート回答データ処理方法。
【請求項１７】
前記アンケート集計端末において、修正が必要なアンケート回答に対する修正依頼を生成するステップと、前記アンケート督促端末において、この修正依頼を前記修正が必要なアンケート回答の回答ＩＤに対応する回答者ＩＤのアンケート回答端末へ送信するステップとを更に含むことを特徴とする請求項１１〜１６いずれか記載のアンケート回答データ処理方法。
【請求項１８】
前記アンケート集計端末において、前記修正依頼において予め修正箇所を指定してなることを特徴とする請求項１７記載のアンケート回答データ処理方法。
【請求項１９】
前記アンケート集計端末において、前記修正依頼内容を生成して、前記データベース手段へ登録するステップと、前記データベース手段において、前記修正が必要なアンケート回答の回答ＩＤに対する回答修正キーを生成して前記修正コメントと共に登録するステップと、前記アンケート督促端末において、前記データベース手段から前記回答ＩＤに対応する回答者ＩＤと前記回答修正キーとを受けて、前記回答者ＩＤに対応するアンケート回答端末へ回答修正依頼を送信するステップと、前記アンケート回答端末において、前記回答修正依頼を受けて、自身の回答ＩＤと前記回答修正キーとを前記データベース手段へ送信し、これに応答して前記データベース手段から返送された前記修正依頼内容を回答者へ表示するステップと、前記アンケート回答端末において、前記回答者により修正された修正内容を前記データベース手段へ送信するステップとを含むことを特徴とする請求項１７または１８記載のアンケート回答データ処理方法。
【請求項２０】
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答端末であって、
前記アンケート回答を特定するための回答識別情報（回答ＩＤと称す）を前記アンケート集計端末の公開鍵により暗号化する手段と、
アンケート回答者を特定するための回答者識別情報（回答者ＩＤと称す）を前記アンケート督促端末の公開鍵により暗号化する手段と、
アンケート回答と共にこれら暗号化された回答ＩＤと回答者ＩＤとを前記データベース手段へ送信する手段とを含み、
前記アンケート督促端末が、
前記データベース手段から得た未回答者の前記回答者ＩＤをアンケート督促端末自身の秘密鍵により復号して、この復号した回答者ＩＤに基づいて未回答者を判断してこの未回答者のアンケート端末に対してアンケート回答の督促を可能とするようにしたことを特徴とするアンケート回答端末。
【請求項２１】
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート督促端末であって、
アンケート回答を特定するための回答識別情報と、回答者を特定するための回答者識別情報（回答者ＩＤと称す）とを、アンケート回答と共に予め格納した前記データベース手段から未回答者の前記回答者ＩＤを得て、この回答者ＩＤをアンケート督促端末自身の秘密鍵により復号して、この復号した回答者ＩＤに基づいて未回答者を判断してこの未回答者のアンケート端末に対してアンケート回答の督促をなす手段を含むことを特徴とするアンケート督促端末。
【請求項２２】
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答端末の動作をコンピュータに実行させるためのプログラムであって、
前記アンケート回答を特定するための回答識別情報（回答ＩＤと称す）を前記アンケート集計端末の公開鍵により暗号化する処理と、
アンケート回答者を特定するための回答者識別情報（回答者ＩＤと称す）を前記アンケート督促端末の公開鍵により暗号化する処理と、
アンケート回答と共にこれら暗号化された回答ＩＤと回答者ＩＤとを前記データベース手段へ送信する処理とを含み、
前記アンケート督促端末が、
前記データベース手段から得た未回答者の前記回答者ＩＤをアンケート督促端末自身の秘密鍵により復号して、この復号した回答者ＩＤに基づいて未回答者を判断してこの未回答者のアンケート端末に対してアンケート回答の督促を可能とするようにしたことを特徴とするプログラム。
【請求項２３】
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート督促端末の動作をコンピュータに実行させるためのプログラムであって、
アンケート回答を特定するための回答識別情報と、回答者を特定するための回答者識別情報（回答者ＩＤと称す）とを、アンケート回答と共に予め格納した前記データベース手段から未回答者の前記回答者ＩＤを得て、この回答者ＩＤをアンケート督促端末自身の秘密鍵により復号して、この復号した回答者ＩＤに基づいて未回答者を判断してこの未回答者のアンケート端末に対してアンケート回答の督促をなす処理を含むことを特徴とするプログラム。
【発明の詳細な説明】
【技術分野】
【０００１】
本発明はアンケートデータ処理システム及びその方法、それを用いたアンケートシステム及びそれに用いる端末に関するものである。
【背景技術】
【０００２】
個人を特定しないアンケートを実施するには、アンケート設問に個人情報の欄を含ませることなく、いわゆるオープン型アンケートを実施する方法が一般的である。この方法は、消費者や視聴者などの任意の顧客層をターゲットとしたアンケートの場合には有効である。しかしながら、アンケート対象者が既に分かっている、いわゆるクローズ型アンケートにおいて、アンケートの回収率を向上させたい場合には、システムに登録された個人情報である、例えば電子メールアドレスを利用して、アンケートの案内を通知し、未回答者には督促メールを送信することが一般的な方法であって、効果的な方法である。
【０００３】
このクローズ型アンケートは、個人の回答した内容を特定することが目的で行われているため、アンケート回答に匿名性を持たせるためには、クローズ型アンケートそのままの仕組みでは不可能であり、よって技術的な解決策が要求されることになる。
【０００４】
ここで、特許文献１を参照すると、匿名で個人プロフィールデータを登録するようになっており、これをアンケートに対して適用すれば、匿名性を保持したオープン型アンケートを実施することができるというものである。
【０００５】
また、特許文献２を参照すると、個人情報の匿名化のために、その個人の生体に関する情報を利用して、匿名化するための権限を分散化することにより、個人情報を特定できないようにしている。この方法は、情報の匿名化には有効である。
【０００６】
更に、特許文献３を参照すると、アンケートの特定の設問の回答を暗号化してデータベースに保存するようになっており、この暗号化した情報を閲覧できるのは、認証済みである閲覧クライアントのみとなっている。この場合において、データの暗号化は、指定の一部の箇所のみであるために、データが漏洩したとしても、部分的なものとなっている。
【０００７】
更にはまた、特許文献４を参照すると、アンケート集計者は、匿名項目については、アンケート回答内容を匿名により集計可能であるが、記名項目については、完全に匿名で集計できないようになっている。この記名項目についても、回答者情報を認証情報に置き換えるという変更を施すことにより、完全に匿名で集計することが可能であると考えられる。
【０００８】
また、特許文献５を参照すると、アンケート回答時に、アンケート回答と個人情報とを分離し、個人情報は暗号化して管理するようになっているために、許可されている要求者のみ個人情報を復号できる。
【０００９】
【特許文献１】特開２００５−２５８６７７号公報
【特許文献２】特開２００４−２８７８４７号公報
【特許文献３】特開２００６−２３５７３４号公報
【特許文献４】特開２００２−１０９１４１号公報
【特許文献５】特開２００７−１５６９１０号公報
【発明の開示】
【発明が解決しようとする課題】
【００１０】
アンケート回答者が限定されている回答者限定型のアンケート、すなわちクローズ型アンケートにおいては、例えば、意識調査など自由に回答欄に記入するとき、個人を特定できる可能性があることにより、本音を書きづらいという傾向がある。
【００１１】
また、オープン型アンケートでは、匿名化が可能であるが、誰が回答済みかどうか確認できないために、アンケートの未回答者に対して督促を行うことができない。オープン型アンケートにおいて、アンケート回答に個人情報を記述する場合は、クローズ型アンケートと同様に、回答者が特定できてしまうので、本音の回答にはやはり抵抗があり、アンケート回答率を上げることは難しいという課題がある。
【００１２】
また、特許文献１の技術では、上述したように、匿名で個人プロフィールデータを登録することなっているので、これをアンケートに対して適用すれば、匿名性を保持したオープン型アンケートを実施することができるものの、回答者が特定されていないために、未回答者に対して督促を行うことはできない。
【００１３】
特許文献２の技術では、個人情報の匿名化のために、その個人の生体に関する情報を利用して、匿名化するための権限を分散化することにより、個人情報を特定できないようにしており、情報の匿名化には有効である。しかし、アンケートの未回答者については管理の対象外であるために督促ができない。
【００１４】
特許文献３の技術では、アンケートの特定の設問の回答が暗号化されてデータベースに保存されているので、データが漏洩した場合にも部分的なものとなるが、回答者が特定されていないために、未回答者に対して、督促を行うことはできない。
【００１５】
特許文献４の技術では、記名項目については完全に匿名で集計できないようになっているが、この記名項目について、回答者情報を認証情報に置換えるという変更を施すことにより、完全に匿名で集計することが可能であると考えられる。しかし、未回答者へのアンケート回答の督促を行うためには、事前に回答者情報を登録しておき、アンケート回答を認証情報に置換えて、その認証情報から未回答者を抽出する仕組みが必要となる。
【００１６】
特許文献５の技術では、アンケート回答時に、アンケート回答と個人情報とを分離し、個人情報は暗号化して管理するようになっているために、許可されている要求者のみ個人情報を復号できるが、アンケート未回答者への督促を行うことができない。
【００１７】
このように、特許文献１〜５のいずれの技術においても、アンケート未回答者に対して督促を行うことが困難であるという課題がある。
【００１８】
本発明の目的は、回答者が本音について回答しにくい内容に関して、匿名性が保持でき、なおかつ未回答者に対しては、回答の督促を行うことによって、アンケートの回収率を高めることができるアンケートデータ処理システム及びその方法、それを用いたアンケートシステム及びそれに用いる端末、更にはプログラムを提供することである。
【課題を解決するための手段】
【００１９】
本発明によるアンケート回答データ処理システムは、
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答データ処理システムであって、
前記アンケート回答端末は、
前記アンケート回答を特定するための回答識別情報（回答ＩＤと称す）を前記アンケート集計端末の公開鍵により暗号化する手段と、
アンケート回答者を特定するための回答者識別情報（回答者ＩＤと称す）を前記アンケート督促端末の公開鍵により暗号化する手段と、
アンケート回答と共にこれら暗号化された回答ＩＤと回答者ＩＤとを前記データベース手段へ送信する手段とを含み、
前記アンケート督促端末は、
前記データベース手段から得た未回答者の前記回答者ＩＤをアンケート督促端末自身の秘密鍵により復号して、この復号した回答者ＩＤに基づいて未回答者を判断してこの未回答者のアンケート端末に対してアンケート回答の督促をなす手段を含むことを特徴とする。
【００２０】
本発明によるアンケートシステムは、上記のアンケート回答データ処理システムを適用したことを特徴とする。
【００２１】
本発明によるアンケート回答データ処理方法は、
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答データ処理方法であって、
前記アンケート回答端末において、
前記アンケート回答を特定するための回答識別情報（回答ＩＤと称す）を前記アンケート集計端末の公開鍵により暗号化するステップと、
アンケート回答者を特定するための回答者識別情報（回答者ＩＤと称す）を前記アンケート督促端末の公開鍵により暗号化するステップと、
アンケート回答と共にこれら暗号化された回答ＩＤと回答者ＩＤとを前記データベース手段へ送信するステップとを含み、
前記アンケート督促端末において、
前記データベース手段から得た未回答者の前記回答者ＩＤをアンケート督促端末自身の秘密鍵により復号するステップと、
この復号した回答者ＩＤに基づいて未回答者を判断してこの未回答者のアンケート端末に対してアンケート回答の督促をなすステップとを含むことを特徴とする。
【００２２】
本発明によるアンケート回答端末は、
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答端末であって、
前記アンケート回答を特定するための回答識別情報（回答ＩＤと称す）を前記アンケート集計端末の公開鍵により暗号化する手段と、
アンケート回答者を特定するための回答者識別情報（回答者ＩＤと称す）を前記アンケート督促端末の公開鍵により暗号化する手段と、
アンケート回答と共にこれら暗号化された回答ＩＤと回答者ＩＤとを前記データベース手段へ送信する手段とを含み、
前記アンケート督促端末が、
前記データベース手段から得た未回答者の前記回答者ＩＤをアンケート督促端末自身の秘密鍵により復号して、この復号した回答者ＩＤに基づいて未回答者を判断してこの未回答者のアンケート端末に対してアンケート回答の督促を可能とするようにしたことを特徴とする。
【００２３】
本発明によるアンケート督促端末は、
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート督促端末であって、
アンケート回答を特定するための回答識別情報と、回答者を特定するための回答者識別情報（回答者ＩＤと称す）とを、アンケート回答と共に予め格納した前記データベース手段から未回答者の前記回答者ＩＤを得て、この回答者ＩＤをアンケート督促端末自身の秘密鍵により復号して、この復号した回答者ＩＤに基づいて未回答者を判断してこの未回答者のアンケート端末に対してアンケート回答の督促をなす手段を含むことを特徴とする。
【００２５】
本発明によるプログラムは、
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート回答端末の動作をコンピュータに実行させるためのプログラムであって、
前記アンケート回答を特定するための回答識別情報（回答ＩＤと称す）を前記アンケート集計端末の公開鍵により暗号化する処理と、
アンケート回答者を特定するための回答者識別情報（回答者ＩＤと称す）を前記アンケート督促端末の公開鍵により暗号化する処理と、
アンケート回答と共にこれら暗号化された回答ＩＤと回答者ＩＤとを前記データベース手段へ送信する処理とを含み、
前記アンケート督促端末が、
前記データベース手段から得た未回答者の前記回答者ＩＤをアンケート督促端末自身の秘密鍵により復号して、この復号した回答者ＩＤに基づいて未回答者を判断してこの未回答者のアンケート端末に対してアンケート回答の督促を可能とするようにしたことを特徴とするプログラム。
【００２６】
本発明によるプログラムは、
アンケート回答端末と、アンケート集計端末と、アンケート督促端末と、アンケートに関するデータを格納するデータベース手段とを含み、これら各端末及びデータベース手段がネットワークにより接続されたアンケートシステムにおけるアンケート督促端末の動作をコンピュータに実行させるためのプログラムであって、
アンケート回答を特定するための回答識別情報と、回答者を特定するための回答者識別情報（回答者ＩＤと称す）とを、アンケート回答と共に予め格納した前記データベース手段から未回答者の前記回答者ＩＤを得て、この回答者ＩＤをアンケート督促端末自身の秘密鍵により復号して、この復号した回答者ＩＤに基づいて未回答者を判断してこの未回答者のアンケート端末に対してアンケート回答の督促をなす処理を含むことを特徴とする。
【発明の効果】
【００２８】
本発明によれば、誰がどのような回答したかを特定できないように、回答者ＩＤと回答ＩＤという個人と回答データを関連付ける情報を暗号化することにより、組織内の意識調査など回答者が本音について回答しにくい内容に関して、匿名性が保持でき、かつ未回答者に対して回答の督促を行うことができ、よってアンケートの回収率を高めることができるという効果がある。
【発明を実施するための最良の形態】
【００２９】
本発明の実施の形態について説明するに先立って、本発明をより良く理解するために、図１〜図３を参照して本発明の原理について説明する。図１は本発明の原理を説明するための概略システムブロック図である。図１を参照すると、本発明の基本構成は、アンケート回答端末１０と、アンケート集計端末２０と、アンケート督促端末３０と、アンケートデータベース部１００と、これら各部を接続するネットワーク８０とを備えている。
【００３０】
アンケート回答端末１０は、回答ＩＤ暗号化部１０１と、回答者ＩＤ暗号化部１０２と、送信部１０４とを備えている。回答ＩＤ暗号化部１０１は、アンケート回答を特定するための情報としての回答ＩＤを、アンケート集計端末（アンケート集計者）の公開鍵で暗号化する。回答者ＩＤ暗号化部１０２は、個人を特定するための情報としての回答者ＩＤを、アンケート督促端末（アンケート督促者）の公開鍵で暗号化する。送信部１０４は、これら回答者ＩＤと回答ＩＤとを、アンケート回答と共に、ネットワーク８０を介してアンケートデータベース部１００へ送る。なお、アンケート回答そのものについては、暗号化しないものとする。
【００３１】
アンケート集計端末２０は、回答ＩＤ復号部２０１を有している。この回答ＩＤ復号部２０１はアンケートデータベース部１００に格納されている回答ＩＤを、アンケート集計端末（アンケート集計者）の秘密鍵で復号し、アンケートデータベース部１００に格納されているアンケート回答を取得集計するものである。
【００３２】
アンケート督促端末３０は、回答者ＩＤ暗号処理部３０１を有している。この回答者ＩＤ暗号処理部３０１は、アンケートデータベース部１００に格納されている回答者ＩＤを取得して、アンケート督促端末（アンケート督促者）の秘密鍵で復号し、アンケートの未回答者を判別して、その未回答者に対してアンケートの督促を行う。
【００３３】
アンケートデータベース部１００は、アンケートをアンケートデータとして格納すると共に、複数のアンケート回答端末１０からのアンケートの回答を格納する。また、アンケートデータベース１００は、アンケートの回答者を特定するための回答者ＩＤと、アンケート回答を特定するための回答ＩＤとを、関連付けて格納する。
【００３４】
図２は、図１のシステムにおけるアンケート回答端末１０によるアンケート回答時の動作の概略を示す図である。図２を参照すると、アンケート回答端末１０は、自端末のユーザであるアンケート回答者自身の回答ＩＤを暗号化する（ステップＳ１０）と共に、自身の回答者ＩＤをも暗号化する（ステップＳ１１）。これら回答ＩＤと回答者ＩＤとを、アンケート回答内容と共に、アンケートデータベース部へ送信する（ステップＳ１２）。アンケートデータベース部は、これらアンケート回答内容と、回答ＩＤ、更には回答者ＩＤとを互いに関連付けて格納する（ステップＳ１３）。
【００３５】
図３は図１のシステムにおけるアンケート督促端末３０によるアンケート督促時の動作の概略を示す図である。図３を参照すると、アンケート督促端末３０は、アンケート未回答者のリストをアンケートデータベース部へ要求する（ステップＳ２１）。この要求に応答して、アンケートデータベース部は、未回答者の回答者ＩＤを取出して、アンケート督促端末へ送信する（ステップＳ２２）。アンケート督促端末は、受取った未回答者ＩＤを、アンケート督促端末の秘密鍵で復号し、アンケートの未回答者を特定して未回答者リストを生成し、その未回答者に対してアンケート督促を行う（ステップＳ２３）。
【００３６】
図４は図１のシステムにおけるアンケート集計端末２０によるアンケート集計時の動作の概略を示す図である。図４を参照すると、アンケート集計端末２０は、アンケート回答取得の要求を行う（ステップＳ３１）。この要求に応答して、アンケートデータベース部１００は回答済みの回答ＩＤを取出して、アンケート集計端末へ送信する（ステップＳ３２）。
【００３７】
アンケート集計端末は、この回答ＩＤを、アンケート集計端末の秘密鍵で復号してこの回答ＩＤに対応した回答データを、データベース部へ要求する（ステップＳ３３）。データベース部は、この回答ＩＤにより特定される回答データを収集してアンケート集計端末へ送信する（ステップＳ３４）。アンケート集計端末は、アンケートデータベース部から送られてきた回答データを集計分析して表示する（ステップＳ３５）。
【００３８】
この様に、個人を特定する回答者ＩＤと、回答を特定する回答ＩＤとを、異なる公開鍵で暗号化しているので、アンケート集計端末は、回答データにはアクセスできるが、回答者ＩＤを復号するためのアンケート督促端末の秘密鍵は有していないので、個人データにはアクセスできない。また、アンケート督促端末は、回答者ＩＤを復号した個人データにはアクセスできるが、復号するためのアンケート集計端末の秘密鍵を有していないので、回答データにはアクセスできない。そのために、回答データの匿名性を維持しつつ未回答者への督促ができ、アンケートの回収率を高めることができることになる。
【００３９】
図５は本発明の第一の実施の形態のシステムブロック図である。図５において、複数のアンケート回答端末１０、アンケート集計端末２０、アンケート督促端末３０及びアンケート作成端末５０は、ネットワーク８０に接続されており、このネットワーク８０を経由して、アンケート回答サーバ４０に接続されている。このアンケート回答サーバ４０には、ネットワーク９０を介してアンケートデータベース（以下、アンケートＤＢと称す）６０が接続されている。公開鍵秘密鍵管理サーバ７０もネットワーク８０に接続されている。                        
【００４０】
図６は、図５の各部の詳細を示す機能ブロック図である。図６を参照すると、アンケート回答端末１０は、回答ＩＤ暗号化部１０１と、回答者ＩＤ暗号化部１０２と、アンケートデータ取得回答部１０３と、送受信部１０４とを備えている。回答ＩＤ暗号化部１０１及び回答者ＩＤ暗号化部１０２は、図１で示した各部１０１及び１０２と同等機能を有する。アンケートデータ取得回答部１０３は、アンケートデータを取得して表示してユーザのアンケート回答を促す。送受信部１０４は、アンケート回答者端末１０のネットワーク８０に対するインタフェースである。
【００４１】
アンケート集計端末２０は、回答ＩＤ復号部２０１と、送受信部２０２とを備えている。回答ＩＤ復号部２０１は、図１で示した回答ＩＤ復号部２０１と同等機能を有する。送受信部２０２は、アンケート集計端末２０のネットワーク８０に対するインタフェースである。
【００４２】
アンケート督促端末３０は、回答者ＩＤ暗号処理部３０１と、送受信部３０２とを備えている。回答者ＩＤ暗号処理部３０１は、回答者ＩＤを公開鍵で暗号化すると共に、秘密鍵で復号する機能を有する。送受信部３０２は、アンケート督促端末３０のネットワーク８０に対するインタフェースである。
【００４３】
アンケート作成端末５０は、アンケートデータ作成部５０１と、送受信部５０２とを備えている。アンケートデータ作成部５０１は、アンケート作成者であるオペレータの指示に従ってアンケートを作成する機能を有している。送受信部５０２はアンケート作成端末５０のネットワーク８０に対するインタフェースである。
【００４４】
アンケート回答サーバ４０は、アンケート登録部４１１と、アンケート出力部４１２と、回答ＩＤ取得認証部４１３と、アンケート回答集収部４１４と、アンケート回答格納部４１５と、回答者管理部４１６と、送受信部４２０と、ＤＢ通信部４３０とを備えている。
【００４５】
アンケート登録部４１１は、アンケート作成端末５０により作成されたアンケートデータをアンケートＤＢ６０へ登録するものである。アンケート出力部４１２は、アンケート回答端末１０からの要求に応じて、アンケートＤＢ６０からアンケートデータを取出して出力するものである。回答ＩＤ取得認証部４１３は、アンケートのための初回アクセス時に、アンケートの回答ＩＤを割り振ると共に、アンケートの再回答時に、アンケート回答端末１０からの回答ＩＤの認証を行うものである。
【００４６】
アンケート回答収集部４１４は、アンケート回答の収集を行うものである。アンケート回答格納部４１５は、アンケート回答をアンケートＤＢ６０へ格納するものである。回答者管理部４１６は、回答者ＩＤと回答ＩＤをアンケートＤＢ６０へ格納するものである。送受信部４２０は、アンケート回答サーバ４０のネットワーク８０に対するインタフェースであり、ＤＢ通信部４３０は、ネットワーク９０を介してアンケートＤＢ６０との通信をなすものである。
【００４７】
アンケートＤＢ６０は、アンケートデータ格納装置６１０と、アンケート回答格納装置６２０と、アンケート回答管理情報格納装置６３０とを備えている。アンケートデータ格納装置６１０は、アンケートデータを格納するものである。アンケート回答格納装置は、アンケート回答を格納するものである。アンケート回答管理情報格納装置６３０は、回答ＩＤと回答者ＩＤとを対応づけて格納するものである。
【００４８】
図６を参照して、アンケート回答者登録からアンケート集計までの流れについて具体的に説明する。先ず、アンケート作成フェーズでは、アンケート作成端末５０は、作成したアンケートをアンケート回答サーバ４０に登録して公開する。登録したアンケートは、アンケートＤＢ６０のアンケートデータ格納装置６１０に保存される。
【００４９】
アンケート管理者登録フェーズでは、アンケート集計端末２０のユーザ、アンケート督促端末３０のオペレータ、アンケート作成端末５０のオペレータが、それぞれアンケート回答サーバ４０にアクセス可能なように、システム管理者は事前登録を行う。この際、アンケート集計端末２０とアンケート督促端末３０の公開鍵は、公開鍵秘密鍵管理サーバ７０を経由して、アンケート回答サーバ４０に登録されるものとする。
【００５０】
アンケート回答者登録フェーズでは、アンケート督促端末３０は、アンケートの対象となる回答者リストを唯一管理し、回答者リスト情報を督促端末の公開鍵で暗号化した後、アンケート回答情報管理装置６３０に事前登録しておく。公開鍵は、事前に公開鍵秘密鍵管理サーバ７０から取得しており、アンケート督促端末本人しか復号することはできない。
【００５１】
アンケート公開フェーズでは、アンケート公開を受けて、アンケート督促者はアンケート対象となるアンケート回答者１０に対してアンケート公開の通知を行う。一般的な通知方法として、アンケート回答の対象者の電子メールアドレスを管理しているシステムから案内が電子メールにより送信される。
【００５２】
アンケート回答フェーズでは、アンケート回答端末１０はアンケート案内電子メールを受け取り、この電子メール本文に書かれたＵＲＬにアクセスすることによって、アンケート回答サーバ４０にアクセスする。アンケート回答サーバ４０より表示されるアンケートのＨＴＭＬに対して回答し、自由回答欄を記述することによってアンケートに回答する。
【００５３】
アンケートの回答結果は、ネットワーク８０、アンケート回答サーバ４０を経由して、アンケートＤＢ６０のアンケート回答格納装置６２０に保存される。アンケート回答時に、回答ＩＤ暗号化部１０１は、アンケート回答サーバ４０から取得した回答ＩＤを、アンケート回答サーバ４０から渡されてきたアンケート集計端末２０の公開鍵で暗号化する。また同時に、回答者ＩＤ暗号化部１０２は、回答者ＩＤを、同様にアンケート督促端末３０の公開鍵で暗号化する。これら回答ＩＤと回答者ＩＤとは、アンケートＤＢ６０のアンケート回答管理情報格納装置６３０に関連付けて登録される。
【００５４】
アンケート督促フェーズでは、アンケート督促端末３０は、アンケート回答管理情報格納装置６３０から、未回答の回答者ＩＤの情報を取得し、この情報を復号して未回答者を特定し、督促のメールを送信する。但し、このとき、回答ＩＤについては復号できないので、回答内容については特定することはできない。
【００５５】
アンケート集計フェーズでは、アンケート集計端末２０は、アンケート回答管理情報格納装置６３０から、回答済みの回答ＩＤの情報を取得し、この情報を復号して回答済みの回答について集計分析を行う。但し、このとき、回答者ＩＤについては復号できないため、回答者情報を特定することはできない。
【００５６】
このように、回答ＩＤと回答者ＩＤの両方を同時に把握できないように暗号化を行い、それぞれのＩＤ管理を行うことによって、回答対象者の回答状況は確認できるがその回答内容は特定できない、また回答内容は確認できるが回答者を特定できない、ということになる。こうすることにより、回答者の匿名性を保ちながらも、回答の督促を可能としているのである。
【００５７】
更に述べると、アンケート作成者は、アンケートデータ作成端末５０のアンケートデータ作成部５０１においてアンケートデータを作成する。そして、この作成したアンケートデータを、送受信部５０２、ネットワーク８０、送受信部４２０を経由して、アンケート登録部４１１により、ＤＢ通信部４３０、ネットワーク９０を経由してアンケートデータ格納装置６０１に格納する。
【００５８】
アンケート督促者は、個人を特定可能な情報（社員番号、メールアドレス等の回答者ＩＤ）を、アンケート督促端末３０の回答者ＩＤ暗号化部３０１により暗号化する。この暗号化したデータを、送受信部３０２、ネットワーク８０、送受信部４２０を経由して、回答者管理部４１６によりＤＢ通信部４３０、ネットワーク９０を経由してアンケート回答管理情報格納装置６３０に格納する。
【００５９】
アンケート回答者は、アンケートに回答するアンケート回答サーバのＵＲＬが書かれた配布メール、印刷物などの媒体によって、連絡を受けると、アンケート回答端末１０により送受信部１０４、ネットワーク８０、送受信部４２０を経由して、回答ＩＤ取得認証部４１３にアクセスする。アンケートの回答ＩＤは、初回アクセス時に、回答ＩＤ取得認証部４１３により割り振られる。
【００６０】
割り振られた回答ＩＤは、アンケートに再回答する際において、アンケート回答端末１０により入力された回答ＩＤが、アンケートデータ格納装置６１０に存在するかどうかの認証を行ってから回答を許可するためにも用いられる。認証を終了後に、アンケート出力部４１４によって、アンケート回答端末１０にアンケートが表示されることになる。
【００６１】
アンケートの回答が完了した際には、アンケート回答者は、アンケート回答端末１０に対して、アンケート督促者によって用意された個人を特定可能な情報（回答者ＩＤ）の入力を行う。この個人を特定する入力データは、回答者ＩＤ暗号化部１０２によって、アンケート督促端末の公開鍵によって暗号化される。同様に、回答ＩＤは、アンケート集計端末の公開鍵によって回答ＩＤ暗号化部１０１によって暗号化されるが、回答データについては暗号化されない。
【００６２】
回答ＩＤ、回答者ＩＤ及び回答データは、送受信部１０４、ネットワーク８０、送受信部４２０を経由して、アンケート回答サーバ４０に送信される。回答データは、アンケート回答格納部４１５により、ＤＢ通信部４３０、ネットワーク９０を経由し、アンケートＤＢ６０のアンケート回答格納装置６２０に格納される。回答者ＩＤと回答ＩＤは、回答者管理部４１６によりＤＢ通信部４３０、ネットワーク９０を経由して、アンケートＤＢ６０のアンケート回答管理情報格納装置６３０に格納される。
【００６３】
アンケート集計者は、集計表示の要求をアンケート集計端末２０において行う。アンケート集計端末２０は、送受信部２０２、ネットワーク８０、送受信部４２０を経由して、アンケート回答収集部４１４により、ＤＢ通信部４３０、ネットワーク９０を経由して、アンケート回答管理情報格納装置６３０に格納されている回答ＩＤ（暗号化されている）を取得する。
【００６４】
そして、回答ＩＤ復号部２０１は、アンケート集計端末の秘密鍵を使って回答ＩＤを復号し、この回答ＩＤを送受信部２０２、ネットワーク８０、送受信手段４２０を経由して、アンケート収集部４１４に送信する。アンケート収集部４１４は、受信した回答ＩＤに対応するアンケート回答を、ＤＢ通信部４３０、ネットワーク９０を経由して、アンケートＤＢ６０のアンケート回答格納装置６２０から収集する。アンケート収集部４１４は、この収集したアンケート回答をアンケート集計端末２０へ送信する。そして、アンケート集計端末２０は、このアンケート回答を集計分析してその結果を表示する。
【００６５】
アンケート督促者は、未回答者リストの取得の要求をアンケート督促端末３０において行うと、アンケート督促端末３０は、送受信部３０２、ネットワーク８０、送受信部４２０を経由して、アンケート回答サーバ４０の回答者管理部４１６と通信を行って、未回答者の回答者ＩＤを要求する。回答者管理部４１６は、ＤＢ通信部４３０、ネットワーク９０を経由して、アンケート回答管理情報格納装置６３０の回答者ＩＤと回答ＩＤの登録状況を参照し、未回答者リストを生成してアンケート督促端末３０に送信する。アンケート督促端末３０は、送信された未回答者ＩＤを回答者ＩＤ暗号処理部３０１にて、アンケート督促端末の秘密鍵で復号して表示し、アンケート督促者に提供する。
【００６６】
以下に、この第一の実施の形態の動作の詳細を、フローチャートを参照し説明する。図７はアンケート作成時のフローチャートである。アンケート作成者は、アンケートデータ作成端末５０において、アンケートの質問内容として、質問内容と回答の単数回答、複数回答の選択方式、もしくは自由回答のデータを入力しアンケートデータを作成する（ステップＳ１００）。そして、この作成したアンケートデータを、アンケート回答サーバ４０を介して、アンケートＤＢ６０へ送信し、アンケートデータ格納装置６１０に格納する（ステップＳ１０１，Ｓ１０２）。図８は、こうして得られたアンケートの作成例を示している。
【００６７】
図９はアンケート督促時のフローチャートである。アンケート督促者は、アンケートを実施対象となる個人情報を用意する。個人情報としては、個人を特定できる社員番号、メールアドレス等の情報を利用することができる（図１０参照）。ここでは、電子メールを回答者ＩＤとして使用するものとする。アンケート督促者が用意した個人情報が登録されていない場合には、アンケート督促者は新規登録を行う（ステップＳ２００の“Ｎ”）。
【００６８】
回答者ＩＤ暗号処理部３０１は、この新規登録した個人情報である電子メールアドレスを暗号化し、この暗号化した回答者ＩＤをアンケート回答サーバ４０の回答者管理部４１６に送信する（ステップＳ２０６，Ｓ２０７）。この暗号化は、図１１に示すように、元の電子メールアドレスが推測できない文字列に変換することにより行われる。そして、この暗号化された文字列を、アンケートＤＢ６０のアンケート回答管理情報格納装置６３０に、図１２に示す形式として登録する（ステップＳ２０８）。図１２に示した形式は、シーケンシャルな登録番号、回答者ＩＤ及び回答ＩＤ項目を、互いに対応づけて有しているものとする。
【００６９】
アンケートへの回答が実施されている場合において、回答ＩＤの項目が空白であるときには、未回答であるものと判断し、空白ではないときには、回答済みと判断することになる。
【００７０】
次に、未回答者への督促について説明する。アンケート督促端末３０から、アンケート回答サーバ４０に対して未回答リストの取得を要求する（ステップＳ２０１）。アンケート回答サーバ４０の回答者管理部４１６は、アンケートＤＢ６０のアンケート回答管理情報格納装置６３０から未回答の回答者ＩＤを取得する（ステップＳ２０２）。回答者管理部４１６は、図１２において回答ＩＤが空白である回答者ＩＤを検索し、その回答者ＩＤ一覧のリストを作成する（ステップＳ２０３）。
【００７１】
回答者管理部４１６は、作成した回答者ＩＤリストをアンケート督促端末３０に送信する（ステップＳ２０４）。アンケート督促端末３０の回答者ＩＤ暗号処理部３０１は、この回答者ＩＤリストの各回答者ＩＤを、アンケート督促端末の秘密鍵により復号して、アンケート督促者にその一覧データを閲覧できるようにファイル出力を行うことになる（ステップＳ２０５）。
【００７２】
図１３はアンケート回答時のフロートチャートである。アンケート回答者は、電子メールや書面にて通知されるアンケート回答サーバ４０のＵＲＬをアンケート回答端末１０に入力する（ステップＳ３００）。初回回答の場合（ステップＳ３０１の“Ｙ”）、アンケート回答端末１０のアンケートデータ取得回答部１０３からＵＲＬにアクセスすると、アンケート回答サーバ４０の回答ＩＤ取得認証部４１３において、新たな暗号化されていない回答ＩＤ取得される。この新たな回答ＩＤが、アンケート回答端末１０において、図１４で示すような画面により表示される（ステップＳ３０２）。
【００７３】
初回回答の場合について説明すると、回答ＩＤが表示された後、図８に示したのアンケート画面が表示される（ステップＳ３０６）。回答者であるユーザは、表示されたアンケート画面にアンケート回答を入力し、回答画面下の「送信」ボタンをクリックする（ステップＳ３０７）。最終回答でない場合には、送信後回答データは、アンケート回答格納部４１５により、アンケート回答格納装置６２０にて回答ＩＤに対応する回答データとして、図１５のように格納されて、終了となる（ステップＳ３０８，Ｓ３１４）。
【００７４】
初回回答が最終回答である場合には（ステップＳ３０８で“Ｙ”）、アンケート回答端末１０は、図１６に示すような回答者ＩＤの入力画面を表示する。ユーザは、この画面において、自身の個人情報を特定する情報を入力する（ステップＳ３０９，Ｓ３１０）。キャンセルした場合にはそのまま終了となる（ステップＳ３１０で“Ｙ”）。
【００７５】
キャンセルしない場合には（ステップＳ３１０で“Ｎ”）、送信データをアンケート回答サーバ４０に送る前に、個人情報は回答者ＩＤとして回答者ＩＤ暗号化部１０２によって暗号化され（ステップＳ３１１）、同時に、回答ＩＤを回答ＩＤ暗号化部１０１により暗号化される（ステップＳ３１２）。そして、アンケート回答端末１０は、これら回答者ＩＤと回答ＩＤをアンケート回答サーバ４０のアンケート回答格納部４１５に送信し、アンケート回答格納部４１５は、アンケート回答管理情報格納装置５３０に、回答者ＩＤと回答ＩＤを格納する（ステップＳ３１３）。
【００７６】
最終回答でない場合は（ステップＳ３０８で“Ｎ”）、アンケート回答格納部４１５は、回答ＩＤを図１２に示した登録番号“０００００３”のように、回答ＩＤが空欄のままアンケート回答管理情報格納装置６３０に登録し（ステップＳ３１４）、回答データを更新する。
【００７７】
なお、最終回答である場合は、暗号化された回答ＩＤと回答者ＩＤを、アンケート回答管理情報格納装置６３０に、図１２に示した登録番号“０００００１”のように、回答ＩＤの登録を行う（ステップＳ３１３）。
【００７８】
２回目以降の回答である再回答のケースについて説明する。回答者が再回答を行う場合には（ステップＳ３０１で“Ｎ”）、回答者は、図１７に示す画面において、図１４に示すように表示された回答ＩＤの入力を行う（ステップＳ３０３）。入力された回答ＩＤについて、アンケート回答サーバ４０の回答ＩＤ取得認証部４１３がアンケートＤＢ６０のアンケート回答格納装置６２０において、同一の回答ＩＤが存在するかどうかを確認する（ステップＳ３０４）。
【００７９】
確認がとれれば（ステップＳ３０４で“Ｙ”）、アンケート回答格納装置６２０からその回答ＩＤに該当する回答データ、すなわち前回までの回答データを取得して、アンケート回答端末１０において、アンケートの画面表示を行う（ステップＳ３０５，Ｓ３０６）。回答ＩＤが存在しない場合には、認証エラーとして終了する（ステップＳ３０４で“Ｎ”）。
【００８０】
回答者は、この表示されたアンケート画面にアンケート回答を入力し、回答画面下の「送信」ボタンをクリックする（ステップＳ３０７）。以後は、上記で説明したように、再回答時も、初回回答と同じく、最終回答である場合と、最終回答でない場合とに分けて処理を行うことになる。
【００８１】
図１８はアンケート集計時のフローチャートである。アンケート集計者は、アンケート集計端末２０において、集計情報の取得要求を行う（ステップＳ４００）。この取得要求は、アンケート回答サーバ４０のアンケート回答収集部４１４に送信される。このアンケート回答収集部４１４は、アンケートＤＢ６０のアンケート回答管理情報格納装置６３０から回答ＩＤの情報を取得する（ステップＳ４０１）。
【００８２】
この回答ＩＤを受け取ったアンケート集計端末２０は、回答ＩＤを回答ＩＤ復号部２０１により復号し、その回答ＩＤに対応する回答データを、アンケート回答サーバ４０のアンケート回答収集部４１４を介してアンケート回答格納装置６２０から取得する（ステップＳ４０２）。そして、この回答データを集計分析して、この分析結果を表示する（ステップＳ４０３，Ｓ４０４）。
【００８３】
以上述べたように、個人と回答データを分離して管理するようにすることにより、回答データの匿名性が保持できる。その理由は、個人を特定する回答者ＩＤと回答を特定する回答ＩＤとを、互いに異なる公開鍵で暗号化するようにしたので、アンケート集計者は、回答データにはアクセスできるが、個人を特定する回答者ＩＤを復号するためのアンケート督促者の秘密鍵を持たないために、回答者ＩＤにはアクセスできない。また、アンケート督促者は、回答者ＩＤの復号した個人データにはアクセス可能であるが、復号するためのアンケート集計者の秘密鍵を持たないために、回答ＩＤにはアクセスできず、この結果回答データの匿名性が保持できるためである。
【００８４】
また、督促は未回答者のみに限定しているために、全員に再通知しなくて良く、よって効率良く督促を行うことができる。その理由は、個人情報を入力しないオープン型アンケートでは、だれが回答済みか把握できないため、未回答者への督促メールは、対象全員に対して送信することになるが、本発明では、アンケート督促者は、未回答者を把握しているため対象者を絞って督促メールを送信することができる。
【００８５】
更に、アンケートの回答率を上げることができる。その理由は、従来の匿名性のない特定者へのアンケートでは回答できなかった本音の部分についても安心してアンケートに回答できるためである。
【００８６】
この第一の実施の形態の変形例として、図６に示したアンケート回答サーバ４０が、アンケート回答の中において、アンケート集計端末２０のオペレータであるアンケート集計者が見ることができる欄（回答欄）に、個人情報が含まれているかどうかを確認する機能を設けることができる。
【００８７】
具体的には、アンケート回答サーバ４０に、電話番号のフォーマット（xxx-xxxx-xxxx ）や、個人名の辞書、住所の辞書、ある桁数以上の数字列（例えば、クレジットカードの番号など）を、予め格納したテーブルを設ける。このテーブルのフォーマットや文字列に一致する情報がアンケート回答のアンケート集計者が見ることができる欄に含まれる場合には、それを個人情報であると判断し、削除したり、特定文字列や特定記号により置換した情報をアンケート回答格納装置６２０に格納するのである。
【００８８】
また、上記の削除や置換が発生した場合には、アンケート回答者へその旨を通知するようにしたり、再度のアンケート回答が必要である旨を通知するなどしても良い。更には、再度のアンケート回答が必要である旨をアンケート回答者へ通知したことを、アンケート督促端末３０に通知するようにして、アンケート回答に個人情報が含まれていたので、再度のアンケート回答を求めていることをアンケート督促者に把握させるようにすることも可能である。これにより、アンケート督促者は、アンケート回答が遅れていることを知ることができる。
【００８９】
なお、この場合には、アンケート回答サーバ４０は、アンケート回答者とアンケート回答とを特定することが必要であるので、このサーバ内に、回答ＩＤ復号部及び回答者ＩＤ復号部を設けることが必要になる。
【００９０】
次に、本発明の第二の実施の形態について説明する。先の第一の実施の形態においては、匿名によるアンケートの回答の督促を行うことが可能であるが、回答後に回答内容を確認して修正を依頼することができない。すなわち、アンケートの自由回答欄に記述されている内容に対して、アンケート集計者が回答者本人に追加確認したいことがある場合に、回答者は匿名化されているので、回答者に修正依頼ができないという問題がある。そこで、本実施の形態では、アンケート回答後に、アンケート記述内容に修正が必要な回答者に対して、アンケート回答修正依頼を通知することにより、回答内容の確からしさをより高めるようにしたものである。
【００９１】
この第二の実施の形態の全体のシステムブロック図は、図６に示した第一の形態のそれと同一である。図１９はこの第二の実施の形態の機能ブロック図であり図６と同等部分は同一符号により示している。図１９において、図６と異なる部分についてのみ説明すると、アンケート集計端末２０において、回答修正依頼部２０３が追加されており、またアンケート回答サーバ４０において、アンケート回答修正部４１７及び回答修正キー生成認証部４１８が追加されている。
【００９２】
回答修正依頼部２０３は、所定のアンケートの回答内容に対する修正コメントを含む修正依頼をなすものである。アンケート回答修正部４１７は、アンケート回答格納装置６２０における回答データテーブルに修正コメントを登録すると共に、修正があったことを示す修正フラグを、アンケート回答管理情報格納装置６３０の回答管理情報テーブルに登録するものである。回答修正キー生成認証部４１８は、アンケート回答者がアンケート回答の修正時に必要となる回答修正キーを生成し、このキーに基づいて回答者の認証をなすものである。
【００９３】
前述した第一の実施の形態において説明したアンケート督促フェーズの後、この第二の実施の形態によるアンケート確認フェーズ、アンケート回答修正依頼フェーズ、アンケート回答修正フェーズ及びアンケート回答修正確認フェーズが、処理流のれとして存在する。
【００９４】
アンケート確認フェーズでは、アンケート集計者は、アンケート回答管理情報格納装置６３０の回答データによりアンケートの回答内容の確認を行う。回答修正の必要があると判断した場合、修正依頼に関する文書を作成し、該当のアンケート回答の修正依頼内容としてアンケート回答格納装置６２０に記録する。修正依頼文を追加した回答ＩＤを公開鍵で暗号化し、その暗号化を持つアンケート回答情報格納装置６３０の該当の回答者ＩＤに対して修正フラグと回答修正キーの設定を行い、アンケート回答格納装置６２０の該当の回答ＩＤに対しても回答修正キー値の設定を行う。
【００９５】
これら回答修正キーと修正フラグの設定により、次のアンケート回答修正依頼フェーズにおいて、アンケート督促者は修正依頼の対象の回答者ＩＤを識別することが可能となる。
【００９６】
アンケート回答修正依頼フェーズでは、アンケート督促者は、アンケート回答管理情報格納装置６３０で修正フラグが設定されている回答者ＩＤを検索し、検索により回答者ＩＤと回答修正キーを取得し、回答者ＩＤを復号し、そのメールアドレスに対して回答修正キーが記載された回答修正依頼のメールを送信する。
【００９７】
アンケート回答修正フェーズでは、アンケート回答者は、アンケート督促者からのアンケート修正依頼の案内メールを受け取り、アンケート回答サーバ４０にアクセスする。ユーザ認証画面にて回答ＩＤと回答修正キーの入力を行う。アンケート回答格納装置６２０の回答データに、該当の回答ＩＤと回答修正キーの両方を保持する回答データがあるかをチェックし、存在すればユーザ認証成功と判断する。
【００９８】
ユーザ認証成功後に、アンケート回答者は、アンケート回答サーバ４０より表示されるアンケート集計者の修正依頼内容を確認し、アンケートのＨＴＭＬに対して回答し、自由回答欄を修正することにより、アンケートに対して回答の修正を行う。
【００９９】
アンケート回答修正確認フェーズでは、アンケート集計者は、アンケート回答管理情報格納装置６３０の回答データによりアンケートの回答内容の再確認を行う。そして、アンケート集計者は、更なる回答修正の必要があると判断した場合には、修正依頼に関する文書を作成し、該当のアンケート回答の修正依頼内容としてアンケート回答格納装置６２０に記録し、前回設定したアンケート回答管理情報格納装置６３０とアンケート回答格納装置６２０の回答修正キーを更新する。
【０１００】
回答修正の必要がなければ、回答ＩＤを暗号化した値を持つアンケート回答管理情報格納装置６３０の該当の回答者ＩＤに対して修正フラグと回答修正キーの値と、アンケート回答格納装置６２０の回答修正キーの値を回答修正依頼がない状態に設定する。
【０１０１】
更に述べると、アンケート集計者は、アンケート回答格納装置６２０に格納されているアンケートの自由回答欄の記述内容を確認し、記述内容に関する追加説明の必要性の有無を判断し、修正の必要があれば修正依頼を行う。修正依頼のメール通知を受けたアンケート回答者は、アンケート回答サーバ４０にアクセスを行い、ユーザ認証として回答ＩＤとメール通知に書かれた回答修正キーの２つの情報の入力を行い、アンケートの回答修正を行う。回答修正が完了し、アンケート集計者が修正完了と判断した場合、前回発行した回答修正キーを無効とし、新規に回答修正キーを発行しない限り、修正することはできなくすることにより、回答確認後の回答データの改ざんを防止する。
【０１０２】
その後に、第一の実施の形態で説明したアンケート集計フェーズが実行されることになるが、このアンケート集計フェーズの後に、この第二の実施の形態によるアンケート確認フェーズ、アンケート回答修正依頼フェーズ、アンケート回答修正フェーズ及びアンケート回答修正確認フェーズが実行されて、再度アンケート集計フェーズが実行されても良い。
【０１０３】
アンケート集計者がアンケートの回答内容を確認するアンケート確認フェーズについて更に説明すると、アンケート集計者は、回答修正一覧取得の要求をアンケート集計端末２０にて行う。この要求は、送受信部２０２、ネットワーク８０、送受信部４２０を経由して、アンケート回答修正部４１７へ供給される。これに応答して、このアンケート回答修正部４１７は、ＤＢ通信部４３０、ネットワーク９０を経由して、アンケート回答管理情報格納装置６３０において既に回答が完了し、回答修正フラグが０である暗号化された回答ＩＤと、アンケート回答格納装置６２０の回答データにおいて自由回答欄への記入が多い順に非暗号の回答者ＩＤの２つのリストを取得する。
【０１０４】
回答ＩＤを回答ＩＤ復号部２０１によりアンケート集計者の秘密鍵で復号し、その回答ＩＤがアンケート回答格納装置６２０から取得した非暗号化の回答ＩＤを含む回答ＩＤだけをリストアップする。１つの回答ＩＤを選択すると、アンケート集計端末２０は、送受信部２０２、ネットワーク８０、送受信部４２０を経由して、アンケート回答修正部４１７へこの回答ＩＤを送る。アンケート回答修正部４１７は、アンケート回答格納装置６２０から回答データを取得し、回答ＩＤに対する回答内容をアンケート集計端末２０に送って表示する。
【０１０５】
アンケート集計者は、アンケート集計端末２０において、アンケートの回答内容を確認し修正依頼文を入力する。入力された回答ＩＤに対する修正依頼文は、送受信部２０２、ネットワーク８０、送受信部４２０を経由して、アンケート回答修正部４１７に送られて記入内容の受け渡しを行う。そして、回答修正キー生成認証部４１８にて回答修正キーを生成し、回答ＩＤに対する修正依頼文の挿入と、修正フラグを０から１への変更を、アンケート回答格納装置６２０と、アンケート回答管理情報格納装置６３０に対して行う。引き続き回答を修正するものがあればこれを繰り返し実行する。
【０１０６】
アンケート督促者により、アンケート回答者に回答修正を依頼するケースについて説明する。アンケートの督促者は、回答修正者リストの取得の要求をアンケート督促端末３０にて行うと、送受信部３０２、ネットワーク８０、送受信部４２０を経由して、アンケート回答サーバ４０と通信を行う。このアンケート回答サーバ４０のアンケート回答修正部４１７により、ＤＢ通信部４３０、ネットワーク９０を経由して、アンケート回答管理情報格納装置６３０の回答者ＩＤと回答修正フラグが１であるものと、回答修正キーの有無の状況を参照し、回答修正者リストを生成してアンケート督促端末３０に送信する。回答者ＩＤ暗号処理部３０１にて、この送信された回答者ＩＤをアンケート督促者の秘密鍵により復号し、回答修正キーとペアの情報をアンケート督促者に提供する。
【０１０７】
アンケート回答者がアンケート督促者より再回答が依頼されるケースについて説明する。アンケート回答者は、アンケート督促者より回答修正キーが記載された電子メール、印刷物などの媒体によって連絡を受けると、アンケート回答端末１０により、送受信部１０４、ネットワーク８０、送受信部４２０を経由し、回答修正キー生成認証部４１８にアクセスして、回答ＩＤと回答修正キーの入力画面に対して入力を行う。
【０１０８】
回答ＩＤと回答修正キーによる認証が成功すると、アンケート出力部４１２は、アンケート回答格納装置６２０のデータを参照して、アンケート回答端末１０に回答が記入済みの状態でアンケート表示する。アンケートの回答者は、記入された内容の修正を行う。修正したアンケート情報である回答ＩＤと回答データは、送受信部１０４、ネットワーク８０、送受信部４２０を経由して、アンケート回答サーバ４０に送信される。回答データは、アンケート回答格納部４１５にて回答ＩＤに対する回答データとして、ＤＢ通信部４３０、ネットワーク９０を経由し、アンケート回答格納装置６２０に格納される。
【０１０９】
アンケート回答者（修正者）による修正内容の再確認をなすケースについて説明する。アンケート集計者は、回答確認一覧取得の要求をアンケート集計端末２０にて行うと、アンケート集計端末２０は、送受信部２０２、ネットワーク８０、送受信部４２０を経由して、アンケート回答修正部４１７により、ＤＢ通信部４３０、ネットワーク９０を経由して、アンケート回答管理情報格納装置６３０で、修正フラグが１であり、回答修正キーの登録がある暗号化された回答ＩＤと回答修正キーのリストを取得する。
【０１１０】
取得したデータのうち、回答ＩＤは回答ＩＤ復号部２０１でアンケート修正者の秘密鍵で復号する。アンケート集計者により回答ＩＤが選択されると、アンケート集計端末２０は、送受信部２０２、ネットワーク８０、送受信部４２０を経由して、アンケート回答修正部４１７に対して回答ＩＤを送出する。アンケート回答修正部４１７は、アンケート回答格納装置６２０から回答ＩＤに対する回答内容を取得して、これをアンケート集計端末２０に表示する。修正内容を確認し、正しく修正されている場合は、回答ＩＤに対する回答修正キーをアンケート回答管理情報格納装置６３０とアンケート回答格納装置６２０から削除を行う。
【０１１１】
更に修正が必要な場合は、アンケート集計者は再度修正依頼文を入力する。入力された回答ＩＤに対するコメントに関しては、アンケート集計端末２０は、送受信部２０２、ネットワーク８０、送受信部４２０を経由して、アンケート回答修正部４１７に記入内容の受け渡しを行い、回答修正キー生成認証部４１８にて前回とは異なる回答修正キーを生成し、アンケート回答格納装置６２０と、アンケート回答管理情報格納装置６３０に対して回答修正キーの更新を行う。なお、引き続き回答を修正するものがあれば、上記の確認と修正を繰り返すことになる。
【０１１２】
以下に、本実施の形態の動作の詳細について、フローチャートを参照しつつ説明する。先ず、アンケート回答修正確認の動作について、図２０を参照して説明する。
【０１１３】
アンケート集計者は、アンケート集計端末２０の回答修正依頼部２０３によって、一覧表示されたアンケート回答から所定の回答を選択してその内容を確認する（ステップ５００，５０１）。回答内容を確認した結果、回答修正を依頼する必要がない場合は、他のアンケート回答内容の確認を行う。他に確認するアンケート回答がない場合は終了する（ステップ５０２，５０３）。
【０１１４】
回答内容を確認した結果、回答修正を依頼する必要がある場合には、修正依頼内容を修正コメントとして記入し、回答修正依頼部２０３は、修正コメントをアンケート回答修正部４１７に送信し、アンケート回答格納装置６２０の図２１に示す回答データテーブルの修正コメント欄に登録すると共に、修正があったことを記録するために、暗号化された回答ＩＤが格納されているアンケート回答管理情報格納装置６３０の図２２に示す回答者管理情報テーブルの修正フラグを０から１に変更する（ステップ５０２，５０４〜５０６）。
【０１１５】
アンケート回答者が、アンケート回答の修正時に、回答ＩＤ／回答修正キー入力画面で入力が必要となる回答修正キーを、回答修正キー生成認証部４１８で生成し、図２１の回答データテーブルの回答修正キー欄と、図２２の回答管理情報テーブルの回答修正キー欄に登録する（ステップ５０７）。
【０１１６】
次に、アンケート回答修正依頼の動作について、図２３のフローチャートを用いて説明する。アンケート督促者は、アンケート督促端末３０より、アンケート回答サーバ４０に対して回答修正リストの取得を要求する（ステップ６００）。回答者管理部４１６は、アンケート回答管理情報格納装置６３０から、図２２の回答者管理情報テーブルの修正フラグが１である暗号化された回答者ＩＤと、回答修正キーを抽出する（ステップ６０１）。
【０１１７】
回答者管理部４１６は、回答者ＩＤと回答修正キーのリストをアンケート督促端末３０に送信する（ステップ６０２）。アンケート督促端末３０は、回答者ＩＤリストを回答者ＩＤ暗号処理部３０１で復号を行い、アンケート督促者が回答者と回答修正キーのデータを入手できるように出力を行う（ステップ６０３）。
【０１１８】
次に、アンケート回答修正の処理について、図２４のフローチャートを参照して説明する。アンケート回答者には、アンケート修正依頼に関して、図２５のメール通知文が書かれた電子メールが通知され、アンケート出力部４１２で作成されたＵＲＬをアンケート回答端末１０に入力する（ステップ７００）。ＵＲＬにアクセスすると、図２６の回答ＩＤ／回答修正キー入力画面が表示され、初回のアンケートの回答で発行された回答ＩＤと、メール通知文に記載された回答修正キーの入力を行う。
【０１１９】
入力された回答ＩＤは、回答ＩＤ取得認証部４１３がアンケート回答格納装置６２０の回答ＩＤの存在を確認し、更に回答修正キーの存在を確認できた場合、その回答ＩＤに該当する回答データを取得し、回答済みの回答データは、図２７のアンケート回答修正画面に示すように、修正依頼内容を示す修正コメントが表示された状態で、アンケートの画面表示を行う（ステップ７０２〜７０５）。なお、回答ＩＤもしくは回答修正キーの存在が確認できなかった場合は、認証エラーとして終了する（ステップ７０２）。
【０１２０】
表示されたアンケート画面にアンケート回答を再入力し、図２７の回答画面下の「送信」ボタンをクリックする（ステップ７０６）。送信された回答データは、アンケート回答格納部４１５により、アンケート回答格納装置６２０において回答ＩＤに対応する回答データとして更新されることになる（ステップ７０７）。
【０１２１】
次に、アンケート回答修正確認の動作を、図２８のフローチャートを参照して説明する。アンケート集計者は、アンケート集計端末２０の回答修正依頼部２０３によって、図２２に示した回答管理情報テーブルのデータにおいて、修正フラグが１であり、回答内容の更新があったアンケートを一覧表示する（ステップ８００）。
【０１２２】
アンケート回答内容の確認を行い、更に回答修正を依頼する必要がある場合には、修正依頼内容を修正コメントとして記入し、回答修正依頼部２０３は、回答修正依頼コメントをアンケート回答修正部４１７に送信し、図２１に示した回答データテーブルの修正コメント欄に記入内容を登録し、回答修正キー生成認証部４１８にて回答修正キーの再作成を行う（ステップ８０１，８０２，８０５，８０６）。
【０１２３】
回答を修正する必要がなければ、図２０に示した回答管理情報テーブルの該当のデータの修正フラグを０に設定し、回答修正キーの値を未設定状態になるように設定すると共に、図２１の回答データテーブルの回答修正キーの値についても未設定状態になるようにクリアする（ステップ８０３，８０４）。
【０１２４】
こうすることにより、アンケートの回答における自由記述欄の意見を正確に把握することができることになる。その理由は、アンケートの自由回答に記述した内容に関して、アンケートの集計者が確認したい、もしくは補足説明して欲しい内容があれば、回答修正として依頼することができ、記述内容の修正により、具体的な意見として収集することができるからである。
【０１２５】
また、正当な回答者のみが回答を修正できる。その理由として、アンケート集計者が回答修正の必要性があると判断した際に、回答修正キーが生成されてアンケート回答者に通知されるが、この回答修正キーに対する回答ＩＤは回答者本人のみが知っている情報であるために、正当な回答者のみが、回答を修正することができるからである。
【０１２６】
次に、本発明の第三の実施の形態について説明する。本実施の形態におけるシステムブロック図は、図５と同一である。本実施の形態の機能ブロック図を、図２９に示しており、図６及び図１９と同等部分は同一符号により示している。
【０１２７】
本実施の形態では、第二の実施の形態におけるアンケート回答サーバ４０に、更にアンケート修正指定部４１９を追加し、またアンケートＤＢ６０に、アンケート修正指定情報格納装置６４０を追加したものである。他の構成は図１９のそれと同一であり、よってそれらの説明は省略する。
【０１２８】
先の第二の実施の形態では、アンケート集計者がアンケートの内容を確認後、アンケート回答者が回答する際に、アンケート集計者が指摘した以外の箇所についても修正することを可能としたものであるが、本第三の実施の形態では、アンケート集計者が指定した箇所のみ、アンケート回答者が再回答可能としたものである。
【０１２９】
図２９において追加されたアンケート修正指定手段４１９とアンケート修正指定情報格納装置６４０の動作について、図３０のフローチャートを用いて説明する。アンケート集計者は、アンケート集計端末２０の回答修正依頼部２０３によって、一覧表示されたアンケートから、アンケートを選択してその内容を確認する（ステップ９００，９０１）。回答内容の確認の結果、回答修正を依頼する必要がない場合は、他のアンケートの内容の確認を行う。他に確認するアンケートがなければ終了する（ステップ９０２，９０３）
【０１３０】
回答内容の確認の結果、回答修正を依頼する必要がある場合には、修正すべき設問にチェックを行う。図３１は、問Ｑ３にチェックを行った例である。修正依頼内容を修正コメントとして記入し、回答修正依頼部２０３は、集計コメントをアンケート回答修正部４１７に送信し、図２１に示したアンケート回答格納装置６２０の図２１の回答データテーブルの修正コメント欄に登録すると共に、修正があったことを記録するために、暗号化された回答ＩＤが格納されている図２２に示したアンケート回答管理情報格納装置６３０の回答者管理情報テーブルの修正フラグを、０から１に変更する（ステップ９０２，９０４，９０６）。
【０１３１】
また、回答修正依頼部２０３は、修正箇所の情報をアンケート修正指定部４１９に送信し、図３２に示すアンケート修正指定情報格納装置６４０の修正設問データテーブルに該当する設問に対して０から１に変更する（ステップ９０５）。アンケート回答者が、アンケート回答の修正時に、回答ＩＤ／回答修正キー入力画面で入力が必要となる回答修正キーを、回答修正キー生成認証部４１８により生成し、図２１で示した回答データテーブルの回答修正キー欄と、図２２で示した回答管理情報テーブルの回答修正キーに登録する（ステップ９０８）。
【０１３２】
次に、図３３のフローチャートを用いて、修正箇所が指定されたアンケート回答修正フローチャートについて説明する。アンケート回答者は、アンケート修正依頼が、図２５に示したメール通知文が書かれた電子メールにより通知され、アンケート出力部４１２で作成されたＵＲＬをアンケート回答装置１０に入力する（ステップＡ０）。
【０１３３】
ＵＲＬにアクセスすると、図２６に示したの回答ＩＤ／回答修正キー入力画面が表示され、初回のアンケートの回答で発行された回答ＩＤと、メール通知文に記載された回答修正キーの入力を行う（ステップＡ１）。入力された回答ＩＤに関しては、回答ＩＤ取得認証部４１３によりアンケート回答格納装置６２０の回答ＩＤの存在が確認される（ステップＡ２）。
【０１３４】
そして、回答修正キーの存在を確認できた場合、その回答ＩＤに該当する回答データがアンケート回答格納装置６２０から取得され（ステップＡ３）。この回答ＩＤに該当する修正指定箇所のデータがアンケート修正指定情報格納装置６４０から取得され、回答済みの回答データは、図３４で示すアンケート回答修正画面（設問指定あり）ように、修正コメントが表示された状態で、なおかつ指定された個所のみ修正可能なように、アンケートの画面表示が行われる（ステップＡ４〜Ａ６）。なお、回答ＩＤもしくは回答修正キーの存在が確認できなかった場合は、認証エラーとして終了する（ステップＡ２）。
【０１３５】
アンケート回答者は、表示されたアンケート画面にアンケート回答を再入力し、回答画面下の「送信」ボタンをクリックする（ステップＡ７）。これにより送信された回答データは、アンケート回答格納部４１５により、アンケート回答格納装置６２０にて回答ＩＤに対応する新しい回答データとなって、回答データがて更新される。そして、図２２に示した回答管理情報テーブルの修正フラグが１から０に変更されて終了となる（ステップＡ８）。
【０１３６】
上記の各実施の形態においては、図６、図１９及び２９に示した如く、アンケート回答サーバ４０とアンケートＤＢ６０とをネットワーク９０で接続しているが、ネットワーク９０を介することなく、両者を直接に接続しても良い。また、アンケート回答サーバ４０とアンケートＤＢ６０とを別の装置として示しているが、アンケート回答サーバ４０内にアンケートＤＢ６０を組込む構成としても良い。
【０１３７】
以上の各実施の形態における各動作は、予めその動作手順をプログラムとして記憶媒体に記録しておき、コンピュータに当該プログラムを読取らせて実行させるように構成できることは明白である。
【図面の簡単な説明】
【０１３８】
【図１】本発明の原理を説明するための概略システム図である。
【図２】図１におけるアンケート回答時の動作の概略を示すフローチャートである。
【図３】図１におけるアンケート督促時の動作の概略を示すフローチャートである。
【図４】図１におけるアンケート集計時の動作の概略を示すフローチャートである。
【図５】本発明の実施の形態を示すシステム図である。
【図６】本発明の第一の実施の形態の機能ブロック図である。
【図７】本発明の第一の実施の形態の動作を示すフローチャートであって、アンケートデータ作成時のフローチャートである。
【図８】アンケートデータの例を示す図である。
【図９】本発明の第一の実施の形態の動作を示すフローチャートであって、アンケート督促時のフローチャートである。
【図１０】回答者ＩＤの例を示す図である。
【図１１】回答者ＩＤの暗号化の例を示す図である。
【図１２】回答者ＩＤと回答ＩＤとの関係の一例を示す図である。
【図１３】本発明の第一の実施の形態の動作を示すフローチャートであって、アンケート回答時のフローチャートである。
【図１４】本発明の第一の実施の形態におけるアンケート回答端末における表示の一例を示す図である。
【図１５】本発明の第一の実施の形態におけるアンケート回答の例を示す図である。
【図１６】本発明の第一の実施の形態におけるアンケート回答端末における表示の他の例を示す図である。
【図１７】本発明の第一の実施の形態におけるアンケート回答端末における表示の更に他の例を示す図である。
【図１８】本発明の第一の実施の形態の動作を示すフローチャートであって、アンケート集計時のフローチャートである。
【図１９】本発明の第二の実施の形態の機能ブロック図である。
【図２０】本発明の第二の実施の形態の動作を示すフローチャートであって、アンケート回答修正確認時のフローチャートである。
【図２１】本発明の第二の実施の形態におけるアンケート回答データテーブルの例を示す図である。
【図２２】本発明の第二の実施の形態における回答管理情報テーブルの例を示す図である。
【図２３】本発明の第二の実施の形態の動作を示すフローチャートであって、アンケート回答修正依頼時のフローチャートである。
【図２４】本発明の第二の実施の形態の動作を示すフローチャートであって、アンケート回答修正時のフローチャートである。
【図２５】本発明の第二の実施の形態におけるアンケート回答修正依頼時のメール通知文の例を示す図である。
【図２６】本発明の第二の実施の形態における回答ＩＤ／修正キー入力画面の例を示す図である。
【図２７】本発明の第二の実施の形態におけるアンケート回答修正画面の例を示す図である。
【図２８】本発明の第二の実施の形態の動作を示すフローチャートであって、アンケート回答修正確認完了時のフローチャートである。
【図２９】本発明の第三の実施の形態の機能ブロック図である。
【図３０】本発明の第三の実施の形態の動作を示すフローチャートであって、アンケート回答修正確認時のフローチャートである。
【図３１】本発明の第三の実施の形態におけるアンケート回答修正箇所指定画面の例を示す図である。
【図３２】本発明の第三の実施の形態における修正設問データテーブルの例を示す図である。
【図３３】本発明の第三の実施の形態の動作を示すフローチャートであって、アンケート回答修正時のフローチャートである。
【図３４】本発明の第三の実施の形態におけるアンケート回答修正画面の例を示す図である。
【符号の説明】
【０１３９】
１０  アンケート回答端末
２０  アンケート集計端末
３０  アンケート督促端末
４０  アンケート回答サーバ
５０ アンケート作成端末
６０  アンケートデータベース
７０  公開鍵秘密鍵管理サーバ
８０，９０  ネットワーク
１００  アンケートデータベース部
１０１  回答ＩＤ暗号化部
１０２  回答者ＩＤ暗号化部
１０３  アンケートデータ取得回答部
１０４ 送信部
２０２，３０２，４２０，５０２  送受信部
２０１  回答ＩＤ復号部
３０１  回答者ＩＤ暗号処理部
４１１  アンケート登録部
４１２  アンケート出力部
４１３  回答ＩＤ取得認証部
４１４  アンケート回答収集部
４１５  アンケート回答格納部
４１６  回答者管理部
５０１  アンケートデータ作成部
６１０  アンケートデータ格納装置
６２０  アンケート回答格納装置
６３０  アンケート回答管理情報格納装置          
【図１】
0005287027.tif 000002
【図２】
0005287027.tif 000003
【図３】
0005287027.tif 000004
【図４】
0005287027.tif 000005
【図５】
0005287027.tif 000006
【図６】
0005287027.tif 000007
【図７】
0005287027.tif 000008
【図８】
0005287027.tif 000009
【図９】
0005287027.tif 000010
【図１０】
0005287027.tif 000011
【図１１】
0005287027.tif 000012
【図１２】
0005287027.tif 000013
【図１３】
0005287027.tif 000014
【図１４】
0005287027.tif 000015
【図１５】
0005287027.tif 000016
【図１６】
0005287027.tif 000017
【図１７】
0005287027.tif 000018
【図１８】
0005287027.tif 000019
【図１９】
0005287027.tif 000020
【図２０】
0005287027.tif 000021
【図２１】
0005287027.tif 000022
【図２２】
0005287027.tif 000023
【図２３】
0005287027.tif 000024
【図２４】
0005287027.tif 000025
【図２５】
0005287027.tif 000026
【図２６】
0005287027.tif 000027
【図２７】
0005287027.tif 000028
【図２８】
0005287027.tif 000029
【図２９】
0005287027.tif 000030
【図３０】
0005287027.tif 000031
【図３１】
0005287027.tif 000032
【図３２】
0005287027.tif 000033
【図３３】
0005287027.tif 000034
【図３４】
0005287027.tif 000035